(57)【要約】【課題】プラスチックシートを打抜き形成された部品を組み立てることにより形成されるペン立てにおいて、使用者の利便性を図るために、組み立て方を変えることでペン立て以外にも複数の使い方ができる多機能型組立式ペン立てを提供する。【解決手段】打ち抜き加工を施し各辺に係合片又は、切り込みを備えた６個からなる薄手のプラスチック片を係合し形成された六面体の貯金箱の他に、上面を間仕切りとして組み立てることにより、ペン立てとして使用できる他、前面、左右側面に形成されたミシン目に沿って不要な部分を切り取ることにより、スマートフォンを保持できる形状を形成することも可能とした。【選択図】図５
0003203879.tif 000002
【実用新案登録請求の範囲】
【請求項１】
打ち抜き加工を施し各辺に係合片１a、１b、１c、１d、１e、１f、１g、１h、１i、１j、１k、１L又は、切り込み２a、２b、２c、２d、２e、２f、２g、２h、２i、２j、２k、２Lを備えた６個からなる薄手のプラスチック片を係合し形成された六面体の上面２に、ミシン目３aを備えており、切り取ることにより形成される硬貨を挿入する穴を有することにより貯金箱として使用できる他、上面２に形成された係合片１bを下面３に形成された差込穴３bに差込み、また同様に係合片１cを左側面３に形成された差込穴３cに差込み、さらに係合片１dを右側面７に形成された差込穴３dに差込むことにより、間仕切りが形成され上面が開口する構造となり、ペン立てとしても使用できる事を特長とする貯金箱の機能を備えた組立式ペン立て。
【請求項２】
請求項１に記載の貯金箱の機能を備えた組立式ペン立てであって、前面６、左側面４、右側面７には、切り離すためのミシン目４a、４b、４cがそれぞれ形成してあり、そのミシン目に沿って不要な部分４d、４e、４fを切り取ることにより、スマートフォンを保持できる凹みを形成し、置いたまま操作・視聴を可能にする請求項１の貯金箱の機能を備えた組立式ペン立て。
【考案の詳細な説明】
【技術分野】
【０００１】
本考案は貯金箱やスマートフォンスタンドの機能を有するプラスチックシート製の組立式ペン立てに関するものである。
【背景技術】
【０００２】
打ち抜き加工を施したプラスチックシートを切り取り、組み立て使用するペン立ては従来からあるが、その多くはペン立てのみの機能を有するか、予めスマートフォン等を置くことのできる形状にすることにより、ペン立て以外の機能を有する物が一般的である。
【考案の概要】
【考案が解決しようとする課題】
【０００３】
従来の打抜き加工を施したプラスチックシートを切り取り組み立てるペン立ては、ノベルティ等の販売促進物として主に使用されているが、組み立て方、機能共に単一の物がほとんどであり、より多くの用途には適合できずノベルティグッズとしての付加価値を高められずにいた。
本考案はプラスチックシートを材料として、ユーザーが容易に部品を切り離すことができるよう打ち抜き加工され形成された部品を、切り取り組み立てる際に、用途によって部品の一部を更に切り離す又は、係合する箇所を変更することにより形を変え、より多くの使い方ができるようにするものである。
【課題を解決するための手段】
【０００４】
本考案は図１に示す通りプラスチックシートに打ち抜き加工を施し、切り離すと各辺に係合片又は切り込みを備えた６個の部品、上面、下面、左側面、後面、前面、右側面が形成される。図２に示す通り、対になった係合部を合わせ、組み立てることにより正六面体が形成される。上面には硬貨を投入するための穴が開けられるように打抜き加工されており、貯金箱として使用できる。さらに、図４に示す通り、上面を間仕切りとして組み立て、上部を開口することによりペン立て図５として使用できる他、前面、左側面、右側面に形成されたミシン目に沿って不要な部分を切り離すことにより、スマートフォンを縦向き・横向きに関わらず保持できる構造となる。
【考案の効果】
【０００５】
本考案では、ユーザーが任意に組み立て方を変えることにより、ペン立てとしてだけでなく、貯金箱やスマートフォンを置く台として使用できる構造となり、ノベルティグッズとしての付加価値を高める効果がある。
【図面の簡単な説明】
【０００６】
【図１】シート状の貯金箱の機能を備えた組立式ペン立て
【図２】本考案を貯金箱として組み立てる場合の組み立て方を示す図
【図３】本考案を貯金箱として使用した場合の斜視図
【図４】本考案をペン立てとして組み立てる場合の組み立て方を示す図
【図５】本考案をペン立てとして使用した場合の斜視図
【図６】本考案をペン立て及びメモ帳置きとして使用した場合の斜視図
【図７】本考案にスマートフォンを横向きに置いた場合の斜視図
【図８】本考案にスマートフォンを縦向きに置いた場合の斜視図
【考案を実施するための形態】
【０００７】
以下、本考案の形態を図に基づいて説明する。
【実施例】
【０００８】
本考案の貯金箱の機能を備えた組立式ペン立ての実施例である図１において、１は打ち抜き加工された1枚のプラスチックシートである。各部品２、３、４、５、６、７は完全に切り抜かれておらず、分離しないようにシートに一部が固定されており、手を使い切り離すことにより、上面２、下面３、左側面４、後面５、前面６、右側面７の６個の部品が形成され、それぞれの四方の辺に係合片１a、１b、１c、１d、１e、１f、１g、１h、１i、１j、１k、１L、切り込み２a、２b、２c、２d、２e、２f、２g、２h、２i、２j、２k、２Lを対になるように1個又は２個ずつ備えている。図２の示す通り、六面体となるよう、係合片１a と切り込み２a、係合片１bと切り込み２b、係合片３aと切り込み３bのように、対となった各辺の係合部を組み合わせ、上面２の中央に施されたミシン目を切り離すことにより硬貨を投入することのできる穴が形成され、貯金箱図３が形成される。
また、図４に示す通り、上面２に形成された係合片１bを下面３に形成された差込穴３bに差込み、また同様に係合片１cを左側面４に形成された差込穴３cに差込み、さらに係合片１dを右側面７に形成された差込穴３dに差込むことにより間仕切りが形成され、鉛筆等を立てることができるペン立て図５が形成される。上面２の１b、１c、１dを下面３、左側面４、右側面７にそれぞれ形成された差込穴３e、３f、３gに差し込んだ場合には、図６の示す通り間仕切りを不均等の位置に変更でき、市販のメモ帳等を挿入して保管することもできる。
さらに、前面６、左側面４、右側面７にそれぞれ形成されたミシン目４a、４b、４cから、図４の示す通り不要な部分４d、４e、４fを切り離すことにより、図７の示す通りスマートフォンを横向きに設置した際に画面を遮ることなく左側面４及び右側面７に形成された、凹みにより保持できる構造となり操作や視聴が可能となる。図８の示す通り縦置きの場合にも上面２を使用した間仕切りが支えとなり、横置きの場合と同様に操作や視聴が可能である。
【符号の説明】
【０００９】
1  貯金箱の機能を備えた組立式ペン立て
2  上面
3  下面
4  左側面
5  後面
6  前面
7  右側面
１a  係合片
１b  係合片
１c  係合片
１d  係合片
１e  係合片
１f  係合片
１g  係合片
１h  係合片
１i  係合片
１j  係合片
１k  係合片
１L  係合片
２a  切り込み
２b  切り込み
２c  切り込み
２d  切り込み
２e  切り込み
２f  切り込み
２g  切り込み
２h  切り込み
２i  切り込み
２j  切り込み
２k  切り込み
２L  切り込み
３a  硬貨投入穴のミシン目
３b  差込穴
３c  差込穴
３d  差込穴
３e  差込穴
３f  差込穴
３g  差込穴
４a  ミシン目
４b  ミシン目
４c  ミシン目
４d  不要な部分
４e  不要な部分
４f  不要な部分
【図１】
0003203879.tif 000003
【図２】
0003203879.tif 000004
【図３】
0003203879.tif 000005
【図４】
0003203879.tif 000006
【図５】
0003203879.tif 000007
【図６】
0003203879.tif 000008
【図７】
0003203879.tif 000009
【図８】
0003203879.tif 000010